(57)【要約】【課題】吸込口体の手入れが容易で安価な吸込口体を提供する。また、吸込口体の手入れが容易で安価な吸込口体を備えた電気掃除機を提供する。【解決手段】本吸込口体は吸込口体本体に着脱自在で支持部との間で回転清掃体の軸受を挟持するカバー体を備え、カバー体には回転清掃体から塵埃を除去する除去手段が設けられる。また、上記吸込口体を備える電気掃除機。【選択図】  図６
2017064060.tif 000002
【特許請求の範囲】
【請求項１】
清掃部材とこの清掃部材を回動自在に支持する軸受とからなる回転清掃体と、この回転清掃体の軸受を支持する支持部が設けられた吸込口体本体と、この吸込口体本体に着脱自在に取り付けられ前記支持部との間で前記軸受を挟持するカバー体とを備えた吸込口体であって、前記カバー体には前記回転清掃体から塵埃を除去する塵埃除去具が設けられることを特徴とする吸込口体。
【請求項２】
前記塵埃除去具は、前記吸込口体本体への装着時に前記カバー体と前記吸込口体本体の間に設けられた収容部に収容されることを特徴とする請求項１に記載の吸込口体。
【請求項３】
前記塵埃除去具は、前記収容部に出没自在に収容され、使用時には前記収容部から出現し、不使用時には収容部に収容され、この収容状態で吸込口体本体の一部に配設された保持部で保持されることを特徴とする請求項１または２に記載の吸込口体。
【請求項４】
前記保持部は軟質部材からなるバンパーであることを特徴とする請求項１ないし３のいずれか１項に記載の吸込口体。
【請求項５】
前記塵埃除去具は、多数の櫛歯を備えた櫛状具であることを特徴とする請求項１ないし４のいずれか１項に記載の吸込口体。
【請求項６】
前記塵埃除去具は、この塵埃除去具の使用時、前記カバー体に対し一番離れた櫛歯の基部に刃部を設けたことを特徴とする請求項１ないし５のいずれか１項に記載の吸込口体。
【請求項７】
請求項１ないし６のいずれか１項に記載の吸込口体を備えることを特徴とする電気掃除機。
【発明の詳細な説明】
【技術分野】
【０００１】
本発明に係る実施形態は、本体ケースに回転可能に設けられ被掃除面に接地して被掃除面を清掃する回転清掃体を有する吸込口体およびこれを備えた電気掃除機に係り、特に吸込口体を手入するための塵埃除去具を備えた吸込口体およびこれを備えた電気掃除機に関する。
【背景技術】
【０００２】
従来、電気掃除機に用いる吸込口体である床ブラシは、横長の本体ケースと、この本体ケースの後部に突設され延長管に連通接続される連結管とを備える。
【０００３】
本体ケースの下部には、横長の吸込口が開口形成され、この吸込口には、回転清掃体としての回転ブラシが前側と後側とに２個設けられている。
【０００４】
これら２個の回転ブラシは、両端部が本体ケースに回動可能に軸支された略円筒状のブラシ台と、このブラシ台の外周面から突設されたブラシ毛などの清掃部材とを有し、各清掃部材の先端部が被掃除面としての床面に接触するとともに、回転軌道が互いにオーバラップするように設けられている。
【０００５】
そして、この床ブラシは、回転ブラシを回転させることにより、床面の塵埃が床面から掻き出されて吸込口から吸い込まれるとともに、互いの回転ブラシ同士の先端が衝突することで、清掃部材の先端部などに絡み付いた糸ごみなどの塵埃を互いに落とし合うように構成されている。
【０００６】
しかしながら、上記吸込口体では、回転ブラシの清掃部材を床面に接触させるため、充分な回転力が得られず、また、略形状が等しい両回転ブラシを共通のモータにより回転させるため、清掃部材同士が効率よく衝突せず、互いの清掃部材に絡み付いた塵埃を充分に掻き取ることが容易でない。
【０００７】
そこで、第１の回転ブラシに付着した塵埃を効率よく掻き取るように、接地しない第２の回転清掃体を設けた電気掃除機が提案されている。
【先行技術文献】
【特許文献】
【０００８】
【特許文献１】特開２００７−２５２６４２号公報
【発明の概要】
【発明が解決しようとする課題】
【０００９】
しかしながら、特許文献１に記載の電気掃除機の吸込口体では、第１の回転ブラシに軽く付着したごみは、第２の回転掃除体により取り除くことができるが、髪の毛などの頑丈に第１の回転ブラシに絡まるごみは取り除くことができないという問題があり、さらに、第１の回転ブラシの掃除に第２の回転掃除体を用いるので、構造が複雑になり、高価になるという問題がある。
【００１０】
また、従来、回転ブラシの手入れに、収納箱などに収納されているハサミなどの道具を用いるが、このような道具が身近になく、ハサミなどの道具を用いた手入れが面倒であった。
【００１１】
本発明は、このような点に鑑みなされたもので、吸込口体の手入れが容易で安価な吸込口体を提供することを目的とする。
【００１２】
また、吸込口体の手入れが容易で安価な吸込口体を備えた電気掃除機を提供することを目的とする。
【課題を解決するための手段】
【００１３】
上述した目的を達成するため、本発明の実施形態に係る吸込口体は、清掃部材とこの清掃部材を回動自在に支持する軸受とからなる回転清掃体と、この回転清掃体の軸受を支持する支持部が設けられた吸込口体本体と、この吸込口体本体に着脱自在に取り付けられ前記支持部との間で前記軸受を挟持するカバー体とを備えた吸込口体であって、前記カバー体には前記回転清掃体から塵埃を除去する塵埃除去具が設けられることを特徴とする。
【００１４】
また、本発明の実施形態に係る電気掃除機は、上記吸込口体を備えた電気掃除機であることを特徴とする。
【図面の簡単な説明】
【００１５】
【図１】本発明の一実施形態の電気掃除機の概念図。
【図２】本発明の一実施形態の吸込口体の斜視図。
【図３】本発明の一実施形態の吸込口体のカバー部材を外した状態で示す底面視の斜視図。
【図４】本発明の一実施形態の吸込口体における支持部近傍の拡大図。
【図５】本発明の一実施形態の吸込口体に用いるカバー部材の斜視図。
【図６】本発明の一実施形態の吸込口体に用いる塵埃除去具の収容構造の縦断面図で、（ａ）は収容状態、（ｂ）は使用状態、をそれぞれ示す。
【図７】図６（ａ）のＡ部拡大図。
【図８】本発明の一実施形態の吸込口体に用いる塵埃除去具の収容構造の変形例の縦断面図で、（ａ）は収容状態、（ｂ）は使用状態、をそれぞれ示す。
【発明を実施するための形態】
【００１６】
本発明の一実施形態に係る吸込口体、これを用いた電気掃除機について図面を参照して説明する。
【００１７】
図１に示すように、本実施形態に係る電気掃除機１は、掃除機本体２と、この掃除機本体２の前部に形成されたホース接続口２ａに一端が着脱可能に接続された集塵ホース３と、この集塵ホース３の他端に接続され、設定ボタン４ａおよび把手部４ｂを備えた手元操作管４と、この手元操作管４に着脱自在に接続された延長管５と、この延長管５の先端に接続管６ａを介して連なる床ブラシである吸込口体６とを備える。
【００１８】
さらに、掃除機本体２の内部には、集塵ホース３に連通し、いずれも図示しない、第１の塵埃除去手段として高速で流れる空気中に含まれる塵埃を重力差で分離する高速分離方式を採用し、第２の塵埃除去手段としてプリーツフィルタを採用した集塵ユニットを備えた集塵室７と、この集塵室７に吸込負圧を作用させる電動送風機８とが設けられる。
【００１９】
図２〜図４に示すように、床ブラシである吸込口体６は、吸込口体本体としての横長のケース体１０と、このケース体１０の後部に設けられた接続管６ａとを備える。
【００２０】
ケース体１０は、上側が開放されケース体１０の下部をなす下ケース１１と、この下ケース１１の上部の後側を覆い、下ケース１１との間で接続管６ａを回転自在に挟持する上ケース１２と、この上ケース１２の前部に取り付けられた蓋部としての前カバー１３とを備える。
【００２１】
下ケース１１には、主吸込口１４Ａと前側吸込口１４Ｂからなる吸込口１４が設けられ、主吸込口１４Ａは下ケース１１の前端部に、回転清掃体１５を収容する横長四角形状で、幅方向に延びて切り欠き形成され、前側吸込口１４Ｂは主吸込口１４Ａに連通して形成される。
【００２２】
従って、回転清掃体１５が主吸込口１４Ａおよび前側吸込口１４Ｂに対向して収容される。両吸込口１４Ａ、１４Ｂは連通路によって、接続管６ａに連通されている。
【００２３】
回転清掃体１５には、この回転清掃体１５を回転自在に軸支する一対の軸受（軸受円板）１６、１６が設けられ、さらに、回転清掃体１５の清掃体本体１５ａと軸受１６、１６間に設けられ、清掃体本体１５ａと軸受１６、１６、プーリー（モータ側のみに設けられ、図示せず）を着脱自在に連結するカップリング１７、１７が設けられている。
【００２４】
また、下ケース１１には、図４では一側のみを示すが、主吸込口１４Ａの両側には、カップリング１７を回転自在に収容する一対のカップリング収容溝１８、軸受１６を回転自在に収容し、支持する一対の軸支部１９が設けられている。
【００２５】
また、吸込口体６の少なくとも一端側（必要に応じて両端）には、塵埃除去具２０（図６参照）が出没自在に収容される収容部２１が設けられる。
【００２６】
この収容部２１は、図４においては、カップリング収容溝１８、１８、軸受１６、１６（図３）の上方（但し、使用時は下方になる）および下ケース１１に設けられ、下ケース１１、上ケース１２、下ケース１１の側面に一体的に取り付けられる軟質部材からなり保持部をなすバンパー２２および図５に示すカバー体２３によって画成される。
【００２７】
図５に示すように、カバー体２３は、略長方形状をなし、底面となるカバー主体２３ａと、このカバー主体２３ａから立ち上がる上短壁２３ｂ、下短壁２３ｃからなり、左長辺側および右長辺側は僅かに立ち上がり、実質的には開放されている。
【００２８】
従って、図４に示すように、右長辺側の開放部位はバンパー２２により閉塞され、このバンパー２２は収容部２１に露出する。
【００２９】
図６に示すように、収容部２１の一部をなすカバー体２３には塵埃除去具２０が出没自在に収容される。
【００３０】
塵埃除去具２０は、例えば多数の櫛歯２０ａを備えた櫛状具であり、その両端で上短壁２３ｂおよび下短壁２３ｃに回動自在に軸支されている。
【００３１】
図６（ａ）はカバー体２３が下ケース１１に装着された状態を示す。
【００３２】
図６（ａ）に示すように、カバー体２３が下ケース１１（図２）に装着された状態では、収容部２１に塵埃除去具２０が収容されており、カバー体２３は、収容部２１に露出し軟質部材からなるバンパー２２に当接して保持される。
【００３３】
図６（ｂ）はカバー体２３が下ケース１１から取り外され、塵埃除去具２０の使用可能な状態を示す。
【００３４】
図６（ｂ）に示すように、塵埃除去具２０を９０度あるいは１８０°回動することで、塵埃除去具２０は櫛歯２０ａが外部に露出した状態になり、回転清掃体１５の除塵が可能な状態になる。
【００３５】
本例では、塵埃除去具２０がその両端でカバー体の上下短壁２３ｂ、２３ｃに回動自在に軸支される収容構造をなす。
【００３６】
図７に示すように、塵埃除去具２０は、この塵埃除去具２０の使用時、カバー体２３に対し一番離れた櫛歯の基部に刃部２０ｂが設けられる。
【００３７】
なお、塵埃除去具２０が一体的に取り付けられカバー体２３のケース体１０への装着は、図３および図４に示すように、ケース体１０に一体的に取り付けられた螺子２４を、ケース体１０に設けられた取付螺子部２５に螺合することで行ない、カバー体２３の取り外しは、螺合を解除することで行なう。
【００３８】
図３および図５中、符号２１ｓは吸込口体６の他端側に設けられる予備の収容部、２３ｓはカバー体、２４ｓは螺子であり、２５ｓは取付螺子部、３０は吸込口体６の移動を円滑にする長起毛布である。
【００３９】
次に本実施形態に係る吸込口体の作用について説明する。
【００４０】
掃除の際、作業者は、まず、掃除機本体２のホース接続口２ａに、集塵ホース３、手元操作管４、延長管５および吸込口体６を順次連通接続する。
【００４１】
さらに、作業者が、掃除機本体２から電源コードを引き出して図示しないコンセントに接続した後、設定ボタン４ａを操作すると、この設定ボタン４ａにより設定された動作モードに応じて電動送風機８が駆動される。
【００４２】
そして、作業者は、把手部４ｂを把持して床面上で吸込口体６を走行させる。
【００４３】
吸込負圧と回転清掃部材１５の作用により、両吸込口１４Ａ、１４Ｂの走行に伴って、両吸込口１４Ａ、１４Ｂは被清掃面に溜まった塵埃を、空気とともに連続的に延長管５、手元操作管４および集塵ホース３を介して、掃除機本体２に吸い込む。
【００４４】
掃除機本体２に吸い込まれた含塵空気は、第１および第２の塵埃除去手段で除塵され、掃除機本体２外に排出される。
【００４５】
一方、両塵埃除去手段により除塵された塵埃は、集塵容器に一時的に溜められる。
【００４６】
このような掃除を継続すると、被清掃面に溜まった塵埃に髪の毛などが含まれる場合、それらが回転清掃体１５および軸受（軸受円板）１６、１６に絡み付く。
【００４７】
従って、絡み付いた髪の毛などの除去が必要となる。
【００４８】
そこで、手元にあるコインなどを用いて、下ケース１１から螺子２４を外し、図６（ｂ）に示すように、下ケース１１から塵埃除去具２０の櫛歯２０ａを露出させ、櫛歯２０ａにより回転清掃体１５を清掃し、さらに、軸部１６などに髪の毛などが強固に巻き付いた場合は、刃部２０ｂにより髪の毛などを切断して除去する。
【００４９】
従って、収納箱などに収納されているハサミなどの道具を用いる従来とは異なり、カバー体２３に出没自在に設けた塵埃除去具２０を用いることで、吸込口体６の手入れが容易になる。また、回転清掃体の他に、別個の回転清掃体を設ける従来とは異なり、構造が簡単で安価である。さらに、清掃時、塵埃除去具２０は収容部２１に収容され外部に露出しないので、被掃除面を汚さず、また傷付けない。
【００５０】
また、塵埃除去具の収容構造の変形例について説明する。
【００５１】
上記実施形態における塵埃除去具の収容構造は、図８に示すように、塵埃除去具の両端がカバー体の上下壁面に回動自在に軸支されるのに対して、本変形例は塵埃除去具が直線状に出没自在にカバー体に設けられる。
【００５２】
例えば、図８（ａ）、（ｂ）に示すように、直線状で下端に操作用折曲部２０Ａａが形成された塵埃除去具２０Ａが、出没自在に開口部２２ａを介して収容される収容部２１が設けられている。
【００５３】
カバー体２３が下ケース１１に装着された状態では、収容部２１に塵埃除去具２０Ａが収容されており、カバー体２３は、収容部２１に露出し軟質部材からなるバンパー２２によって保持される。
【００５４】
カバー体２３が下ケース１１から取り外され、塵埃除去具２０Ａをカバー体２３から引き出して、使用可能な状態になる。
【００５５】
これにより、カバー体２３に出没自在に設けた塵埃除去具２０Ａを用いることで、吸込口体６の手入れが容易になる。
【００５６】
なお、他の構成は図６に示す塵埃除去具と異ならないので、同一符号を付して説明は省略する。
【００５７】
本実施形態の吸込口体によれば、吸込口体の手入れが容易で安価な吸込口体が実現される。
【００５８】
また、本実施形態の電気掃除機によれば、吸込口体の手入れが容易で安価な吸込口体を備えた電気掃除機が実現される。
【００５９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６０】
１  電気掃除機
２  掃除機本体
２ａ  ホース接続口
３  集塵ホース
４  手元操作管
４ａ  設定ボタン
４ｂ  把手部
５  延長管
６  吸込口体
６ａ  接続管
７  集塵室
８  電動送風機
１０  ケース体
１１  下ケース
１２  上ケース
１３  前カバー
１４  吸込口
１４Ａ  主吸込口
１４Ｂ  前側吸込口
１５  回転清掃体
１５ａ  清掃体本体
１６、１６  軸受（軸受円板）
１７、１７  カップリング
１８、１８  カップリング収容溝
１９、１９  軸支部
２０  塵埃除去具
２０ａ  櫛歯
２１  収容部
２１ｓ  収容部
２２  バンパー
２３  カバー体
２３ａ  カバー主体
２３ｂ  上短壁
２３ｃ  下短壁
２３ｓ  カバー体
２４  螺子
２４ｓ  螺子
２５  取付螺子部
３０  長起毛布
【図１】
2017064060.tif 000003
【図２】
2017064060.tif 000004
【図３】
2017064060.tif 000005
【図４】
2017064060.tif 000006
【図５】
2017064060.tif 000007
【図６】
2017064060.tif 000008
【図７】
2017064060.tif 000009
【図８】
2017064060.tif 000010